(57)【要約】【課題】設置作業時における作業性を向上しつつ、本体を支持するアーム部の長さを短くでき、天井等への取付部分で生じた振動、衝撃等の外力が本体に及ぼす影響を小さくすることが可能である照明装置を提供する。【解決手段】この発明に係る照明装置１００は、光源を有する本体１０１と、本体１０１を下側から支持する支持案内部１１３を有するアーム部１１０と、本体１０１を予め設定された設置位置で位置決めする位置決め手段と、を備える。支持案内部１１３は、支持案内部１１３上の前記設置位置でない位置にある本体１０１の予め設定されたスライド方向に沿った前記設置位置までの移動を案内可能である。【選択図】図５
2020181677.tif 000002
【特許請求の範囲】
【請求項１】
光源を有する本体と、
前記本体を下側から支持する支持部を有するアーム部と、
前記本体を予め設定された設置位置で位置決めする位置決め手段と、を備え、
前記支持部は、前記支持部上の前記設置位置でない位置にある前記本体の予め設定されたスライド方向に沿った前記設置位置までの移動を案内可能である照明装置。
【請求項２】
前記支持部は、前記本体の前記スライド方向に沿った全幅にわたって設けられ、
前記位置決め手段は、前記支持部の前記スライド方向の一端に配置され、前記設置位置にある前記本体の一端面が当接するように設けられる請求項１に記載の照明装置。
【請求項３】
前記支持部は、前記スライド方向に沿って平行に配置された対として設けられ、
前記アーム部は、前記支持部の前記スライド方向の他端に設けられ、対となる前記支持部同士に架け渡された梁部を備えた請求項２に記載の照明装置。
【請求項４】
前記支持部上にある前記本体の上下方向の移動を規制する移動規制手段をさらに備えた請求項２又は請求項３に記載の照明装置。
【請求項５】
前記位置決め手段は、
前記支持部に設けられた凸部と、
前記本体に設けられた凹部と、を備え、
前記凸部は、前記本体が前記設置位置にあるときに前記凹部の内側に配置される請求項１に記載の照明装置。
【請求項６】
前記位置決め手段は、
前記支持部と、
前記本体に設けられた切欠部と、を備え、
前記支持部は、前記本体が前記設置位置にあるときに前記切欠部の内側に配置される請求項１に記載の照明装置。
【発明の詳細な説明】
【技術分野】
【０００１】
この発明は、照明装置に関するものである。
【背景技術】
【０００２】
照明装置においては、点灯装置を天板及び本体の窪み部分に収まるように配設し、本体の上面と点灯装置の上面とを同じ高さにすることで、照明装置の天井取付時に取付アームの下の施工作業スペースを確保したものが知られている（例えば、特許文献１参照）。
【先行技術文献】
【特許文献】
【０００３】
【特許文献１】特開２０１６−００４７２０号公報
【発明の概要】
【発明が解決しようとする課題】
【０００４】
しかしながら、特許文献１に示されるような照明装置においては、取付アーム下側の本体及び点灯装置との間に施工作業スペースを確保した分だけ、取付アームが長くなる。取付アームが長くなるほど、取付アームの天井等への取付部分で生じた振動、衝撃等の外力が本体及び点灯装置に与える影響が大きくなる。また、照明装置の設置作業時に本体及び点灯装置ごと取付アームを支持しなければならず、作業性の面で課題がある
【０００５】
この発明は、このような課題を解決するためになされたものである。その目的は、照明装置の設置作業時における作業性を向上しつつ、本体を支持するアーム部の長さを短くでき、天井等への取付部分で生じた振動、衝撃等の外力が本体に及ぼす影響を小さくすることが可能である照明装置を提供することにある。
【課題を解決するための手段】
【０００６】
この発明に係る照明装置は、光源を有する本体と、前記本体を下側から支持する支持部を有するアーム部と、前記本体を予め設定された設置位置で位置決めする位置決め手段と、を備え、前記支持部は、前記支持部上の前記設置位置でない位置にある前記本体の予め設定されたスライド方向に沿った前記設置位置までの移動を案内可能である。
【発明の効果】
【０００７】
この発明に係る照明装置によれば、設置作業時における作業性を向上しつつ、本体を支持するアーム部の長さを短くでき、天井等への取付部分で生じた振動、衝撃等の外力が本体に及ぼす影響を小さくすることが可能であるという効果を奏する。
【図面の簡単な説明】
【０００８】
【図１】この発明の実施の形態１に係る照明装置を備えたクレーン装置を示す斜視図である。
【図２】この発明の実施の形態１に係る照明装置を模式的に示す斜視図である。
【図３】この発明の実施の形態１に係る照明装置のアーム部を示す斜視図である。
【図４】この発明の実施の形態１に係る照明装置のアーム部をボルトで固定した状態を示す斜視図である。
【図５】この発明の実施の形態１に係る照明装置の設置作業の途中の状態を示す斜視図である。
【図６】この発明の実施の形態１に係る照明装置の設置作業の途中の状態を示す斜視図である。
【図７】この発明の実施の形態１に係る照明装置のアーム部の別例を示す斜視図である。
【図８】この発明の実施の形態１に係る照明装置の別例における設置作業の途中の状態を示す斜視図である。
【図９】この発明の実施の形態１に係る照明装置の正面図である。
【図１０】この発明の実施の形態１に係る照明装置の別例の正面図である。
【図１１】この発明の実施の形態１に係る照明装置の別例の正面図である。
【図１２】この発明の実施の形態２に係る照明装置のアーム部を示す斜視図である。
【図１３】この発明の実施の形態２に係る照明装置の本体及び電源部を示す斜視図である。
【図１４】この発明の実施の形態３に係る照明装置を模式的に示す斜視図である。
【図１５】この発明の実施の形態３に係る照明装置のアーム部を示す斜視図である。
【図１６】この発明の実施の形態３に係る照明装置の本体及び電源部を示す斜視図である。
【発明を実施するための形態】
【０００９】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１０】
実施の形態１．
図１から図１１を参照しながら、この発明の実施の形態１について説明する。図１は照明装置を備えたクレーン装置を示す斜視図である。図２は照明装置を模式的に示す斜視図である。図３は照明装置のアーム部を示す斜視図である。図４は照明装置のアーム部をボルトで固定した状態を示す斜視図である。図５及び図６は照明装置の設置作業の途中の状態を示す斜視図である。図７は照明装置のアーム部の別例を示す斜視図である。図８は照明装置の別例における設置作業の途中の状態を示す斜視図である。図９は照明装置の正面図である。そして、図１０及び図１１は照明装置の別例の正面図である。
【００１１】
図１に示すのは、この実施の形態に係る照明装置１００を備えたクレーン装置である。照明装置１００は、例えば、工場又は倉庫等の天井等の高所に設置されたクレーンに取り付けられている。この図１に示す例では、クレーンは、第１の梁１１及び第２の梁１２を備えている。１組の第１の梁１１（１組のうちの一方のみを図示し他方は図示しない）の上に第２の梁１２が渡されている。第２の梁１２には、基礎部２０が固定されている。そして、基礎部２０に照明装置１００が吊り下げられている。基礎部２０は、照明装置１００は懸架する基礎となる部分である。
【００１２】
図２に示すように、照明装置１００は、本体１０１、電源部１０２及びアーム部１１０を備えている。本体１０１は、光源を有する。光源は、例えばＬＥＤである。本体１０１は、例えば直方体状の筐体を備えている。そして、この筐体内に光源であるＬＥＤが収容されている。本体１０１の筐体の下面は、ＬＥＤからの光が透過できるように、開放され又は透明になっている。
【００１３】
アーム部１１０は、本体１０１を基礎部２０に懸架するための部材である。アーム部１１０は、正面視コ字状を呈する。そして、アーム部１１０は、コ字状の開放された側を下向きにして、本体１０１に本体固定ボルト２１１で固定されている。なお、アーム部１１０は、後述するアーム部固定ボルト２２１により基礎部２０に固定される。
【００１４】
電源部１０２は、本体１０１の光源に電力を供給するためのものである。電源部１０２は、例えば直方体状の筐体を備えている。そして、光源に電力を供給するための回路等が、この筐体内に収容されている。電源部１０２内に収容されている回路は、例えば、各種の電子部品が基板に搭載されて構成されている。
【００１５】
電源部１０２は、例えば図示しない商用電源と図示しない給電ケーブルを介して接続されている。また、電源部１０２と本体１０１とも、図示しない給電ケーブルで接続されている。電源部１０２は、給電ケーブルを介して供給された電力を、本体１０１の光源の駆動に適した電流、電圧に変換する。そして、電源部１０２で変換された電力は、給電ケーブルを介して電源部１０２から本体１０１へと供給される。
【００１６】
電源部１０２は、アーム部１１０と本体１０１との間に配置されている。より詳しくは、この実施の形態では、電源部１０２は、本体１０１の上方であって、かつ、アーム部１１０のコ字状の内側に配置されている。
【００１７】
次に、図３を参照しながら、この実施の形態のアーム部１１０の構成について説明する。同図に示すように、アーム部１１０は、アーム基部１１１、アーム延出部１１２、支持案内部１１３及びストッパー部１１４を備えている。アーム基部１１１は、細長い平板状の部位である。
【００１８】
アーム基部１１１の長手方向の両端には、一対のアーム延出部１１２のそれぞれの一端が接続されている。それぞれのアーム延出部１１２は、細長い平板状を呈する。それぞれのアーム延出部１１２の長手方向は、アーム基部１１１の長手方向に対し直交している。一対のアーム延出部１１２は、アーム基部１１１に対して同じ側に配置されている。一対のアーム延出部１１２の長手方向は平行である。
【００１９】
各アーム延出部１１２の他端には、支持案内部１１３がそれぞれ設けられている。それぞれの支持案内部１１３は、細長い平板状を呈する。支持案内部１１３は、長手方向の中央でアーム延出部１１２の他端に接続されている。支持案内部１１３の長手方向は、アーム基部１１１の長方向と直交し、かつ、アーム延出部１１２の長手方向とも直交している。それぞれの支持案内部１１３は、一対のアーム延出部１１２の対向する側、すなわち、アーム部１１０のコ字状の内側に向けて配置されている。
【００２０】
各支持案内部１１３の長手方向の一端には、ストッパー部１１４がそれぞれ設けられている。ストッパー部１１４は、それぞれの支持案内部１１３の長手方向の一端から上方に延びて設けられている。
【００２１】
次に、以上のように構成された照明装置１００の設置方法について説明する。まず、図４に示すように、アーム部１１０を基礎部２０に固定する。この固定は、アーム部固定ボルト２２１をアーム部１１０のアーム部固定ボルト用孔２２２に通して締結することにより行う。この段階では、アーム部１１０に本体１０１はまだ取り付けられていない。
【００２２】
次に、図５に示すように、基礎部２０に固定されたアーム部１１０の支持案内部１１３の上に本体１０１を載せる。この際、支持案内部１１３の長手方向の両端部のうち、ストッパー部１１４が設けられていない方の側（以下、「反ストッパー部側」ともいう）の端部から、本体１０１を載せる。そして、本体１０１を予め設定されたスライド方向に沿って移動させる。このスライド方向は、支持案内部１１３の長手方向に平行な方向である。すなわち、本体１０１を前述のスライド方向に沿って図中の矢印で示すように、反ストッパー部側からストッパー部１１４へと向かって移動させる。この際、本体１０１を支持案内部１１３の上に載せた状態でスライドさせることで、本体１０１のスライド方向に沿った移動が支持案内部１１３により案内される。
【００２３】
そして、図６に示すように、本体１０１が本体１０１の一端面がストッパー部１１４に当接すると、本体１０１のスライド方向に沿った移動が止まる。この際の本体１０１の位置が、本体１０１の設置位置である。そして、本体１０１が設置位置にある状態で、本体１０１はアーム部１１０に固定される。この固定は、本体固定ボルト２１１を支持案内部１１３の本体固定ボルト用孔２１２に通して締結することにより行う。本体固定ボルト用孔２１２と本体１０１のボルト締結用のネジ穴は、予め設けられている。したがって、前述の設置位置は予め設定された位置である。本体１０１が本体固定ボルト２１１によりアーム部１１０に固定されると、図２に示す状態となる。
【００２４】
以上のように構成された照明装置１００において、アーム部１１０は、本体１０１を下側から支持する支持部である支持案内部１１３を備えている。そして、支持案内部１１３は、支持案内部１１３上の前述した設置位置でない位置にある本体１０１の予め設定されたスライド方向に沿った設置位置までの移動を案内可能である。
【００２５】
また、ストッパー部１１４は、本体１０１を設置位置で位置決めする位置決め手段である。この実施の形態の支持案内部１１３は、本体１０１の前述したスライド方向に沿った全幅にわたって設けられている。そして、位置決め手段であるストッパー部１１４は、支持案内部１１３のスライド方向の一端に配置され、設置位置にある本体１０１の一端面が当接するように設けられている。
【００２６】
ここで、比較例として既知の照明装置と同様に、本体１０１とアーム部１１０とを前もって固定した状態で、アーム部１１０を基礎部２０にアーム部固定ボルト２２１で締結する場合を考える。この場合、図２中にＡで示すアーム部１１０と電源部１０２との間隔を、アーム部固定ボルト２２１の締結作業が可能な程度に確保する必要がある。そして、この間隔Ａを確保した分だけ、図２中にＢで示すアーム部１１０のアーム延出部１１２の寸法が結果的に長くなる。
【００２７】
照明装置１００が設置される基礎部２０で生じた振動、衝撃等の外力は、アーム基部１１１からアーム部１１０に伝わる。そして、アーム部１１０に伝わった外力は、アーム部１１０と本体１０１との接続部分、すなわち、アーム延出部１１２の下端部から本体１０１へと伝わる。アーム延出部１１２の寸法Ｂが長くなると、アーム延出部１１２の下端部から本体１０１に印加される外力によるトルク（力のモーメント）が大きくなる。このため、基礎部２０で生じた振動、衝撃等の外力による本体１０１及び電源部１０２への影響が大きくなってしまう。
【００２８】
これに対し、以上で説明したように、この実施の形態の照明装置１００では、アーム部１１０に本体１０１を固定していない状態で、まず、アーム部１１０のみを基礎部２０にアーム部固定ボルト２２１で固定し、その後に本体１０１をアーム部１１０に本体固定ボルト２１１で固定する。そして、この実施の形態の照明装置１００によれば、前述した支持部である支持案内部１１３と位置決め手段であるストッパー部１１４とを備えたことで、既に基礎部２０に固定されているアーム部１１０に対して、重量物である本体１０１及び電源部１０２を、容易に適切な設置位置に配置して本体固定ボルト２１１により固定できる。
【００２９】
また、アーム部１１０を基礎部２０にアーム部固定ボルト２２１で固定する際には、本体１０１及び電源部１０２がまだないため、アーム部固定ボルト２２１の締結作業に必要なスペースを容易に確保できる。そして、図２中にＡで示すアーム部１１０と電源部１０２との間隔を小さくできるため、図２中にＢで示すアーム延出部１１２の寸法を短くできる。アーム延出部１１２の寸法Ｂを短くすることで、アーム延出部１１２の下端部から本体１０１に印加される外力によるトルク（力のモーメント）が小さくなる。このため、基礎部２０で生じた振動、衝撃等の外力による本体１０１及び電源部１０２への影響を小さくできる。
【００３０】
このように、この実施の形態の照明装置１００によれば、照明装置１００の設置作業時における作業性を向上しつつ、本体１０１を支持するアーム部１１０の長さを短くでき、天井等への取付部分で生じた振動、衝撃等の外力が本体１０１に及ぼす影響を小さくすることが可能である。
【００３１】
この実施の形態の照明装置１００においては、アーム部１１０は、図７及び図８に示すような梁部１１５を備えてもよい。前述したように、支持案内部１１３は、前述のスライド方向に沿って平行に配置された対として設けられている。そして、梁部１１５は、対となる支持案内部１１３同士に架け渡されている。梁部１１５は、支持案内部１１３の前述したスライド方向における反ストッパー部側の端部に設けられている。このような梁部１１５を備えることで、照明装置１００の設置作業において本体１０１を支持案内部１１３の上に載置する際に、梁部１１５を活用できるため、設置作業の作業性向上を図ることができる。また、アーム部１１０の変形を抑制し、支持案内部１１３の間隔を一定に保つ効果も期待できる。
【００３２】
また、ここで説明した構成例においては、２つのアーム部固定ボルト２２１を用いてアーム部１１０を基礎部２０に固定している。２つのアーム部固定ボルト２２１の頭の間隔をＣとすると、図９に示す構成例では、電源部１０２の筐体の幅Ｄは、アーム部固定ボルト２２１の頭の間隔Ｃよりも大きい。ここで、図１０に示すように、電源部１０２の筐体の幅を間隔Ｃよりも小さいＥにすれば、電源部１０２の筐体の一部をアーム部固定ボルト２２１の頭の間に配置できる。このようにすることで、アーム延出部１１２の寸法Ｂを、さらに短くできる。このため、基礎部２０で生じた振動、衝撃等の外力による本体１０１及び電源部１０２への影響をさらに小さくできる。
【００３３】
この実施の形態の照明装置１００においては、図１１に示すような突出部１０３及び溝部１１６を備えてもよい。すなわち、図１１に示す構成例では、本体１０１には突出部１０３が設けられている。突出部１０３は、本体１０１の左右両側面における下端部に形成されている。また、アーム部１１０には、溝部１１６が設けられている。溝部１１６は、アーム延出部１１２の支持案内部１１３との接続部分に形成されている。突出部１０３及び溝部１１６は、どちらも前述のスライド方向に沿った線状に配置されている。
【００３４】
支持案内部１１３上に本体１０１を載せスライド方向に沿って移動させる際、本体１０１の突出部１０３をアーム部１１０の溝部１１６の内側に配置する。このようにすることで、突出部１０３と溝部１１６とが係合し、本体１０１は、支持案内部１１３上におけるスライド方向に沿った移動だけが許され、上下方向の移動が規制される。
【００３５】
以上のように構成された突出部１０３及び溝部１１６は、支持案内部１１３上にある本体１０１の上下方向の移動を規制する移動規制手段である。このような移動規制手段を備えることで、既に基礎部２０に固定されているアーム部１１０において、本体１０１をさらに容易に適切な設置位置に配置できる。
【００３６】
実施の形態２．
図１２及び図１３を参照しながら、この発明の実施の形態２について説明する。図１２は照明装置のアーム部を示す斜視図である。そして、図１３は照明装置の本体及び電源部を示す斜視図である。
【００３７】
ここで説明する実施の形態２は、前述した実施の形態１の構成が備えていたストッパー部に代えて、位置決め手段として、支持案内部に設けられた凸部と本体に設けられた凹部とを備えたものである。以下、この実施の形態２に係る照明装置について、実施の形態１との相違点を中心に説明する。説明を省略した構成については実施の形態１と基本的に同様である。
【００３８】
この実施の形態に係る照明装置１００においては、図１２に示すように、支持案内部１１３に凸部１１７が設けられている。凸部１１７は、それぞれの支持案内部１１３の上面に１つ以上ずつ配置されている。また、図１３に示すように、本体１０１の下面には、凹部１０４が設けられている。各凸部１１７と各凹部１０４とはそれぞれ対応している。本体１０１が支持案内部１１３上の前述した設置位置にあるとき、支持案内部１１３の凸部１１７が、本体１０１の凹部１０４の内側に配置される。一方、本体１０１が支持案内部１１３上における設置位置でない位置にあるとき、凸部１１７は、凹部１０４内に入らずに本体１０１の下面に当たる。
【００３９】
以上のように構成された照明装置１００を設置する際、実施の形態１と同様に、まず、アーム部１１０を基礎部２０に固定する。次に、基礎部２０に固定されたアーム部１１０の支持案内部１１３の上に本体１０１を載せる。この段階では、凸部１１７は凹部１０４内に入らずに本体１０１の下面に当たっている。そして、本体１０１を前述したスライド方向に沿って移動させる。この際、本体１０１を支持案内部１１３の上に載せた状態でスライドさせることで、本体１０１のスライド方向に沿った移動が支持案内部１１３により案内される。本体１０１が前述した設置位置にくると、支持案内部１１３の凸部１１７が本体１０１の凹部１０４の内側に入る。凸部１１７が凹部１０４内に入ることで、本体１０１が設置位置で位置決めされる。
【００４０】
このように構成された凸部１１７及び凹部１０４は、本体１０１を設置位置で位置決めする位置決め手段である。そして、以上のように構成された照明装置１００においても、実施の形態１と同様の効果を奏することができる。
【００４１】
なお、図１２及び図１３では、分かりやすさを優先し、凸部１１７及び凹部１０４の大きさを誇張して図示している。実際には、凸部１１７及び凹部１０４は、本体１０１を支持案内部１１３の上に載せた状態でスライドさせる際の妨げにならない程度の大きさとする。本体１０１のスライド移動に支障がない大きさであっても、凸部１１７が凹部１０４内に入った際の感触、手応え等により、本体１０１を設置位置で容易に位置決めできる。
【００４２】
実施の形態３．
図１４から図１６を参照しながら、この発明の実施の形態３について説明する。図１４は照明装置を模式的に示す斜視図である。図１５は照明装置のアーム部を示す斜視図である。そして、図１６は照明装置の本体及び電源部を示す斜視図である。
【００４３】
ここで説明する実施の形態３は、前述した実施の形態１の構成が備えていたストッパー部に代えて、支持案内部と本体に設けられた切欠部とにより位置決め手段を構成したものである。以下、この実施の形態３に係る照明装置について、実施の形態１との相違点を中心に説明する。説明を省略した構成については実施の形態１と基本的に同様である。
【００４４】
この実施の形態に係る照明装置１００においては、図１４及び図１５に示すように、支持案内部１１３の長手方向の長さが、本体１０１の前述したスライド方向の幅よりも短い。そして、図１４及び図１６に示すように、本体１０１には切欠部１０５が設けられている。切欠部１０５は、本体１０１の左右の両側面のそれぞれから下面にわたった隅角部に形成されている。それぞれの切欠部１０５のスライド方向に沿った寸法は、支持案内部１１３の長手方向の長さよりも長い。このため、支持案内部１１３が切欠部１０５の内側に入ることができる。本体１０１が支持案内部１１３上の前述した設置位置にあるとき、支持案内部１１３が、本体１０１の切欠部１０５の内側に配置される。一方、本体１０１が支持案内部１１３上における設置位置でない位置にあるとき、支持案内部１１３は、切欠部１０５内に入らずに本体１０１の下面に当たる。
【００４５】
以上のように構成された照明装置１００を設置する際、実施の形態１と同様に、まず、アーム部１１０を基礎部２０に固定する。次に、基礎部２０に固定されたアーム部１１０の支持案内部１１３の上に本体１０１を載せる。この段階では、支持案内部１１３は切欠部１０５内に入らずに本体１０１の下面に当たっている。そして、本体１０１を前述したスライド方向に沿って移動させる。この際、本体１０１を支持案内部１１３の上に載せた状態でスライドさせることで、本体１０１のスライド方向に沿った移動が支持案内部１１３により案内される。本体１０１が前述した設置位置にくると、支持案内部１１３が本体１０１の切欠部１０５の内側に入る。支持案内部１１３が切欠部１０５内に入ることで、本体１０１が設置位置で位置決めされる。
【００４６】
このように構成された支持案内部１１３及び切欠部１０５は、本体１０１を設置位置で位置決めする位置決め手段である。そして、以上のように構成された照明装置１００においても、実施の形態１と同様の効果を奏することができる。
【符号の説明】
【００４７】
１１    第１の梁
１２    第２の梁
２０    基礎部
１００    照明装置
１０１    本体
１０２    電源部
１０３    突出部
１０４    凹部
１０５    切欠部
１１０    アーム部
１１１    アーム基部
１１２    アーム延出部
１１３    支持案内部
１１４    ストッパー部
１１５    梁部
１１６    溝部
１１７    凸部
２１１    本体固定ボルト
２１２    本体固定ボルト用孔
２２１    アーム部固定ボルト
２２２    アーム部固定ボルト用孔
【図１】
2020181677.tif 000003
【図２】
2020181677.tif 000004
【図３】
2020181677.tif 000005
【図４】
2020181677.tif 000006
【図５】
2020181677.tif 000007
【図６】
2020181677.tif 000008
【図７】
2020181677.tif 000009
【図８】
2020181677.tif 000010
【図９】
2020181677.tif 000011
【図１０】
2020181677.tif 000012
【図１１】
2020181677.tif 000013
【図１２】
2020181677.tif 000014
【図１３】
2020181677.tif 000015
【図１４】
2020181677.tif 000016
【図１５】
2020181677.tif 000017
【図１６】
2020181677.tif 000018